(57)【特許請求の範囲】
【請求項１】
第１接点が設けられた第１板ばねと、
前記第１接点と対向する第２接点が設けられた第２板ばねと、
前記第１板ばねまたは前記第２板ばねを押圧する押圧手段と、を備え、
前記第１接点は、Ｖ字状に形成されていて、２つの傾斜面を有し、
前記第２接点は、凸状に形成されていて、前記各傾斜面とそれぞれ対向する２つの頂点を有し、
前記第１接点および前記第２接点の前記押圧手段による押圧方向と平行な中心軸を、前記第２接点の前記２つの頂点の間隔より小さい間隔で、前記押圧方向に対して垂直な方向へずらし、
前記押圧手段が前記第１板ばねまたは前記第２板ばねを押圧することにより、前記第１接点の一方側の傾斜面と前記第２接点の一方側の頂点とが接触し、その後前記第１接点の一方側の傾斜面に対して前記第２接点の一方側の頂点が摺動しつつ、前記第１接点または前記第２接点が前記押圧手段の押圧方向に対して垂直な方向へ変位して、最終的に前記第１接点の他方側の傾斜面と前記第２接点の他方側の頂点とが接触する、ことを特徴とするスイッチ。
【請求項２】
請求項１に記載のスイッチにおいて、
当該スイッチは、車両のパワーウインドウ用のスイッチモジュールに設けられた、窓の開閉をロックしたり該ロックを解除したりするウインドウロックスイッチであり、
前記押圧手段はコイルばねから成る、ことを特徴とするスイッチ。
【請求項３】
請求項１または請求項２に記載のスイッチにおいて、
前記第１板ばねまたは前記第２板ばねに、板面を前記第１接点または前記第２接点の変位方向に対して垂直に向けて、該変位方向と前記押圧手段の押圧方向とに対して垂直な方向へ延びる垂直延長部を設けた、ことを特徴とするスイッチ。
【請求項４】
請求項１ないし請求項３のいずれかに記載のスイッチにおいて、
前記第１接点は、前記２つの傾斜面の境界位置にある頂部を上方へ向けて配置され、
前記第２接点は、上方へ突出するように、前記第１接点の下方に配置された、ことを特徴とするスイッチ。
【請求項５】
請求項１ないし請求項３のいずれかに記載のスイッチにおいて、
前記第１接点は、前記２つの傾斜面の境界位置にある頂部を下方へ向けて配置され、
前記第２接点は、下方へ突出するように、前記第１接点の上方に配置された、ことを特徴とするスイッチ。
【発明の詳細な説明】
【技術分野】
【０００１】
本発明は、２つの板ばねに接点を設けたスイッチに関する。
【背景技術】
【０００２】
２つの板ばねに接点を設けたスイッチとして、たとえば、特許文献１に開示されたスイッチがある。このスイッチでは、２つの板ばね（コンタクト）の自由端に、互いに接触する接点（接触部）を設けている。各接点は、１つの傾斜面と１つの垂直面とから成る。第１の板ばねの傾斜面と第２の板ばねの傾斜面とが接触した状態から、第１の板ばねを押圧することにより、第１の板ばねの接点が押圧方向へ変位して、両板ばねの傾斜面が摺動するようになる。それにより第２の板ばねの接点が押圧方向と交差する方向へ変位して、最終的に両板ばねの垂直面が摺動するようになる。
【０００３】
上記のようなスイッチでは、ゴミなどが接点に付着すると、接点の板面同士が摺動する際に、該板面間にゴミなどが挟み込まれて、接点間の導通が妨げられることがある。また、板ばねの可動範囲が大きいと、スイッチが大型化してしまう。
【先行技術文献】
【特許文献】
【０００４】
【特許文献１】特開２００２−１７５７３５号公報
【発明の概要】
【発明が解決しようとする課題】
【０００５】
本発明の課題は、２つの板ばねに接点を設けたスイッチにおいて、ゴミなどが付着しても接点間の導通を確保しつつ、板ばねの可動範囲を小さくすることである。
【課題を解決するための手段】
【０００６】
本発明は、第１接点が設けられた第１板ばねと、第１接点と対向する第２接点が設けられた第２板ばねと、第１板ばねまたは第２板ばねを押圧する押圧手段とを備え、第１接点は、Ｖ字状に形成されていて、２つの傾斜面を有する。第２接点は、凸状に形成されていて、前記各傾斜面とそれぞれ対向する２つの頂点を有する。また、第１接点および第２接点の押圧手段による押圧方向と平行な中心軸を、第２接点の２つの頂点の間隔より小さい間隔で、押圧方向に対して垂直な方向へずらしている。そして、押圧手段が第１板ばねまたは第２板ばねを押圧することにより、第１接点の一方側の傾斜面と第２接点の一方側の頂点とが接触し、その後第１接点の一方側の傾斜面に対して第２接点の一方側の頂点が摺動しつつ、第１接点または第２接点が押圧手段の押圧方向に対して垂直な方向へ変位して、最終的に第１接点の他方側の傾斜面と第２接点の他方側の頂点とが接触する。
【０００７】
上記の構成により、第１接点の一方側の傾斜面と第２接点の一方側の頂点が、接触してから摺動することによって、第１接点の他方側の傾斜面と第２接点の他方側の頂点も接触する。このため、ゴミなどが接点に付着しても、両接点の一方側の傾斜面と頂点の摺動時に、該傾斜面と頂点の間からゴミなどが除去されるので、接点間の導通を確保することができる。また、上記のように第１接点と第２接点の中心軸を押圧方向に対して垂直な方向へずらしているので、両接点の一方側の傾斜面と頂点を所定量確実に摺動させて、両接点に付着したゴミなどを除去し、接点間の導通を安定させることができる。また、両接点の一方側の傾斜面と頂点を摺動させて、他方側の傾斜面と頂点を接触させるように、第１接点または第２接点を微小に変位させればよいので、板ばねの可動範囲を小さくすることができる。さらに、両接点の一方側の傾斜面と頂点の摺動中に、第１接点または第２接点が押圧方向に対して垂直な方向へ変位するので、一方側の傾斜面と頂点の摺動をスムーズにして、他方側の傾斜面と頂点を確実に接触させることができる。
【０００８】
また、本発明では、当該スイッチは、車両のパワーウインドウ用のスイッチモジュールに設けられた、窓の開閉をロックしたり該ロックを解除したりするウインドウロックスイッチであり、押圧手段はコイルばねから構成されていてもよい。
【００１０】
また、本発明では、上記スイッチにおいて、第１板ばねまたは第２板ばねに、板面を第１接点または第２接点の変位方向に対して垂直に向けて、該変位方向と押圧手段の押圧方向とに対して垂直な方向へ延びる垂直延長部を設けるようにしてもよい。
【００１１】
また、本発明では、上記スイッチにおいて、第１接点は、２つの傾斜面の境界位置にある頂部を上方へ向けて配置され、第２接点は、上方へ突出するように、第１接点の下方に配置されるようにしてもよい。
【００１２】
さらに、本発明では、上記スイッチにおいて、第１接点は、２つの傾斜面の境界位置にある頂部を下方へ向けて配置され、第２接点は、下方へ突出するように、第１接点の上方に配置されるようにしてもよい。
【発明の効果】
【００１３】
本発明によれば、２つの板ばねに接点を設けたスイッチにおいて、ゴミなどが付着しても接点間の導通を確保しつつ、板ばねの可動範囲を小さくすることができる。
【図面の簡単な説明】
【００１４】
【図１】本発明の一実施形態によるスイッチを設けたスイッチユニットの斜視図である。
【図２】スイッチユニットの断面図である。
【図３】スイッチの上方斜視図である。
【図４】スイッチの下方斜視図である。
【図５】スイッチの側面図である。
【図６】スイッチの第１接点および第２接点の拡大図である。
【図７】スイッチの第１板ばねの斜視図である。
【図８】スイッチの第２板ばねの斜視図である。
【図９】他の実施形態によるスイッチの拡大図である。
【図１０】他の実施形態によるスイッチの拡大図である。
【図１１】他の実施形態によるスイッチの拡大図である。
【発明を実施するための形態】
【００１５】
以下、本発明の実施形態につき、図面を参照しながら説明する。各図において、同一の部分または対応する部分には、同一符号を付してある。  
【００１６】
図１に示すスイッチユニット１００は、パワーウインドウ用のスイッチモジュールである。スイッチユニット１００は、車両の運転席のドアに設置されたアームレストに取り付けられる。
【００１７】
スイッチユニット１００には、本発明の一実施形態によるスイッチ１１が設けられている。スイッチ１１は、車両の各席の窓ガラスを開閉できないようにロックしたり、該ロックを解除したりするためのウインドウロックスイッチである。
【００１８】
この他にも、スイッチユニット１００には、スイッチ１２〜１５、１７が設けられている。スイッチ１２〜１５は、車両の各席の窓ガラスを開閉するためのウインドウ操作スイッチである。スイッチ１７は、車両の各席のドアを開かないようにロックしたり、該ロックを解除したりするためのドアロックスイッチである。
【００１９】
ケース１は、図２に示すように、上側部材１ａと下側部材１ｂを嵌め合わせることで組み立てられる。ケース１上には、図１に示すように、各スイッチ１２〜１５の操作ノブ２〜５、スイッチ１７の操作ボタン７、およびスイッチ１１の操作ボタン６が設けられている。操作ノブ２〜５は、前後方向に間隔をおいて複数設けられている。操作ボタン６、７は、ケース１上の操作ノブ２〜５の前方に配置されている。
【００２０】
ケース１内には、基板８と、各スイッチ１１〜１５、１７の操作部材２〜７以外の構成部品が設けられている（図２および図３参照）。図２では、スイッチ１１、１２、１４のみ図示している。図３では、スイッチ１１と、スイッチ１３〜１５に備わるスライドスイッチ２０と、スイッチ１２に備わる固定接点８ａ、８ｂ、８ｃと、スイッチ１７に備わる固定接点８ｄ、８ｅのみ図示している。
【００２１】
基板８は、ケース１の上側部材１ａと下側部材１ｂに上下から挟み込まれて支持されている。基板８には、図３および図４に示すように、スライドスイッチ２０と、固定接点８ａ、８ｂ、８ｃ、８ｄ、８ｅと、その他の電子部品や配線や回路などが実装されている。
【００２２】
ケース１の下部には、図２に示すように、端子９ｂを備えたコネクタ９が設けられている。コネクタ９のハウジング９ａは、ケース１の下側部材１ｂと一体に形成されている。コネクタ９の端子９ｂの一端は、下側部材１ｂから突出し、他端は、基板８に接続されている。詳しくは、図２〜図４に示すように、基板８においてスペースに余裕がある、前側のスイッチ１２、１３と後側のスイッチ１４、１５の間で、コネクタ９の端子９ｂの他端は基板８に接続されている。
【００２３】
コネクタ９には、車両に備わる制御装置などと接続するためのケーブルが挿し込まれる（図示省略）。コネクタ９にケーブルが挿し込まれることにより、スイッチユニット１００への給電や、スイッチユニット１００と制御装置などとの間の信号授受が可能となる。
【００２４】
スイッチ１１には、操作ボタン６、操作子２３、コイルばね２４、２５、第１板ばね２１、第２板ばね２２、およびプッシュロック機構１０が備わっている。操作子２３は、ケース１の上側部材１ａに設けられた筒部１ｃ内に挿通されている。操作子２３の上端部には、操作ボタン６が取り付けられている。操作子２３の鍔部２３ａと筒部１ｃ内の段差部１ｈの間には、コイルばね２４が設けられている。コイルばね２４は、操作子２３の鍔部２３ａを上方へ押圧する。
【００２５】
コイルばね２４の下方において、操作子２３の外周面には、リブ部２３ｂが等間隔で４つ設けられている（図３および図４参照）。リブ部２３ｂは、操作子２３の軸方向へ延びている。筒部１ｃの内周面には、ロック突起が等間隔で４つ設けられている（図示省略）。コイルばね２４、操作子２３、リブ部２３ｂ、筒部１ｃ、およびロック突起は、プッシュロック機構１０を構成する。
【００２６】
プッシュロック機構１０において、図２および図５（ｃ）に示す状態では、操作子２３のリブ部２３ｂが筒部１ｃのロック突起から外れていて、操作子２３および操作ボタン６がコイルばね２４により押し上げられて上昇位置にある。操作ボタン６を押下操作すると、操作子２３が下降して、リブ部２３ｂがロック突起に係止され、図５（ａ）に示すように、操作子２３および操作ボタン６が下降位置にロックされる。もう一度操作ボタン６を押下操作すると、操作子２３が下降して、リブ部２３ｂがロック突起から外れ、図２および図５（ｃ）に示すように、操作子２３および操作ボタン６がコイルばね２４により押し上げられて上昇位置に復帰する。
【００２７】
第１板ばね２１、第２板ばね２２、およびコイルばね２５は、図２〜図５に示すように、基板８の操作部材２〜７がある表側とは反対の裏側に配置されている。各板ばね２１、２２は、導電性を有する金属（たとえば、銅）で形成されている。
【００２８】
第１板ばね２１の一端には、第１接点２１ｃが設けられている。第２板ばね２２の一端には、第２接点２２ｃが設けられている。第１接点２１ｃと第２接点２２ｃは対向している。
【００２９】
各板ばね２１、２２の他端は、図４に示すように、コネクタ９の端子９ｂの近傍で基板８に接続されている。すなわち、図２〜図４に示すように、基板８においてスペースに余裕がある、前側のスイッチ１２、１３と後側のスイッチ１４、１５との間で、各板ばね２１、２２の他端は基板８に接続されている。
【００３０】
第１板ばね２１は、図７に示すように、折り曲げ加工されている。第１板ばね２１の第１接点２１ｃは、Ｖ字状に形成されていて、該Ｖ字の内側に２つの傾斜面２１ｄ、２１ｅを有している。第２板ばね２２は、図８に示すように、折り曲げ加工されている。第２板ばね２２の第２接点２２ｃは、凸状に形成されている。
【００３１】
図６は、スイッチ１１の要部（板ばね２１、２２の接点２１ｃ、２２ｃの近傍）の拡大図である。第１板ばね２１の第１接点２１ｃは、２つの傾斜面２１ｄ、２１ｅの境界位置にある頂部２１ｇを上方Ｕへ向けて配置されている。第１接点２１ｃの両側に設けられた水平部２１ｆは、ケース１の下側部材１ｂに設けられた支持突起により上方から支持されている（図示省略）。
【００３２】
第２板ばね２２の第２接点２２ｃは、上方Ｕへ突出するように、第１接点２１ｃの下方Ｄに配置されている。第２接点２２ｃは、第１接点２１ｃの傾斜面２１ｄと対向するＬ側に頂点２２ｄを有し、傾斜面２１ｅと対向するＲ側に頂点２２ｅを有している。
【００３３】
第２板ばね２２の第２接点２２ｃの近傍には、被押圧部２２ｆが設けられている（図２〜図５および図８参照）。操作子２３は、第２板ばね２２の被押圧部２２ｆを下方Ｄへ押圧する。コイルばね２５は、図２に示すように、ケース１の下側部材１ｂに形成された凹部１ｊに嵌め込まれている。コイルばね２５は、第２板ばね２２の被押圧部２２ｆを上方Ｕへ押圧する。コイルばね２５は、本発明の「押圧手段」の一例である。
【００３４】
図６に示すように、コイルばね２５や操作子２３の押圧方向Ｕ、Ｄと平行な、第１接点２１ｃおよび第２接点２２ｃの中心軸Ｊ１、Ｊ２は、該押圧方向Ｕ、Ｄに対して垂直な方向Ｌ、Ｒへずれている。詳しくは、第２接点２２ｃの中心軸Ｊ２が、第１接点２１ｃの中心軸Ｊ１に対して、Ｒ方向へ所定量ずれている。このため、後述するように、第１接点２１ｃと第２接点２２ｃの接離時に、第２接点２２ｃがＬ、Ｒ方向へ変位する。
【００３５】
第２板ばね２２には、図８に示すように、垂直延長部２２ｇが設けられている。垂直延長部２２ｇは、板面を第２接点２２ｃの変位方向Ｌ、Ｒに対して垂直に向けて、該変位方向Ｌ、Ｒとコイルばね２５や操作子２３の押圧方向Ｕ、Ｄとに対して垂直なＦ、Ｂ方向に延びている。
【００３６】
図５（ａ）に示す状態では、操作ボタン６および操作子２３が、プッシュロック機構１０により下降位置でロックされている。このため、図６（ａ）に示すように、操作子２３が第２板ばね２２の被押圧部２２ｆを下方Ｄへ押圧していて、第２接点２２ｃが第１接点２１ｃから離間している。また、第１接点２１ｃと第２接点２２ｃの中心軸Ｊ１、Ｊ２が、コイルばね２５や操作子２３の押圧方向Ｄ、Ｕに対して垂直なＬ、Ｒ方向へずれている。
【００３７】
その状態から、操作ボタン６が押下操作されて、プッシュロック機構１０によるロックが解除されると、操作ボタン６および操作子２３がコイルばね２４により押し上げられて、上昇位置に復帰して行く。その際、図５（ｂ）に示すように、操作子２３が第２板ばね２２の被押圧部２２ｆから離間して、操作子２３による被押圧部２２ｆの押圧が解放される。
【００３８】
また、コイルばね２５が第２板ばね２２の被押圧部２２ｆを上方Ｕへ押圧しているため、まず、図６（ｂ）に示すように、第２板ばね２２の第２接点２２ｃのＲ方向側の頂点２２ｅが、第１板ばね２１の第１接点２１ｃのＲ方向側の傾斜面２１ｅに接触する（１点接触状態）。その後、第２接点２２ｃの頂点２２ｅが第１接点２１ｃの傾斜面２１ｅをＬ方向へ摺動しつつ、第２接点２２ｃがコイルばね２５の押圧方向Ｕに対して垂直なＬ方向へ変位する。そして最終的に、図６（ｃ）に示すように、第２接点２２ｃのＬ方向側の頂点２２ｄが、第１接点２１ｃのＬ方向側の傾斜面２１ｄに接触する（２点接触状態）。これにより、第２接点２２ｃの摺動と変位が停止して、第１接点２１ｃと第２接点２２ｃの中心軸Ｊ１、Ｊ２が一致する。このとき、操作ボタン６および操作子２３は、図５（ｃ）に示すように、上昇位置で停止している。
【００３９】
本実施形態では、上記のように、接点２１ｃのＲ方向側の傾斜面２１ｅと、接点２２ｃのＲ方向側の頂点２２ｅとが、接触した後に摺動することによって、Ｌ方向側の傾斜面２１ｄと頂点２２ｄも接触する。このため、ゴミなどが接点２１ｃ、２２ｃに付着しても、接点２１ｃ、２２ｃのＲ方向側の傾斜面２１ｅと頂点２２ｅとの摺動時に、該傾斜面２１ｅと頂点２２ｅの間からゴミなどが除去されるので、接点２１ｃ、２２ｃ間の導通を確保することができる。また、接点２１ｃ、２２ｃのＲ方向側の傾斜面２１ｅと頂点２２ｅを摺動させて、Ｌ方向側の傾斜面２１ｄと頂点２２ｄを接触させるように、第２接点２２ｃを微小にＵ方向とＬ方向へ変位させればよいので、第２板ばね２２の可動範囲を小さくすることができる。また、第１板ばね２１は変位しないので、第１板ばね２１の可動範囲を考慮する必要がなくなる。さらに、接点２１ｃ、２２ｃ同士が１点で接触してから、２点で接触するようになるので、接触状態を安定に保持することができる。
【００４０】
また、本実施形態では、第１接点２１ｃと第２接点２２ｃの中心軸Ｊ１、Ｊ２をＬ、Ｒ方向へずらしているので、接点２１ｃ、２２ｃのＲ方向側の傾斜面２１ｅと頂点２２ｅを所定量確実に摺動させて、接点２１ｃ、２２ｃに付着したゴミなどを除去し、接点２１ｃ、２２ｃ間の導通を安定させることができる。
【００４１】
また、本実施形態では、接点２１ｃ、２２ｃのＲ方向側の傾斜面２１ｅと頂点２２ｅの摺動中に、第２接点２２ｃがＬ方向へ変位するので、傾斜面２１ｅと頂点２２ｅの摺動をスムーズにして、Ｌ方向側の傾斜面２１ｄと頂点２２ｄを確実に接触させることができる。
【００４２】
また、本実施形態では、第２板ばね２２に垂直延長部２２ｇを設けているので、第２板ばね２２の第２接点２２ｃを押圧方向Ｕに対して垂直なＬ、Ｒ方向へ変位し易くすることができる。
【００４３】
さらに、本実施形態では、第１接点２１ｃが頂部２１ｇを上方Ｕへ向けて配置され、第２接点２２ｃが、上方へ突出するように第１接点２１ｃの下方に配置されている。このため、凸状の第２接点２２ｃを第１接点２１ｃの下面の傾斜面２１ｄ、２１ｅで受けて、接点２１ｃ、２２ｃ同士の接触状態をより安定に保持することができる。また、第１接点２１ｃの傾斜面２１ｄ、２１ｅや、該傾斜面２１ｄ、２１ｅで上方を被われた第２接点２２ｃ上に、ゴミなどを付着させ難くすることができる。さらに、ゴミなどが接点２１ｃ、２２ｃに付着しても、接点２１ｃ、２２ｃの摺動時に、ゴミなどを接点２１ｃ、２２ｃ間から落下させることができる。
【００４４】
本発明は、上述した以外にも種々の実施形態を採用することができる。たとえば、上記実施形態では、コイルばね２５が第２板ばね２２を押圧することにより、第２接点２２ｃが第１接点２１ｃに接触する例を示したが、本発明はこれに限るものではない。これ以外に、たとえば、図９に示すように、操作子２３が第１板ばね３１を押圧することにより、第１接点３１ｃが第２接点３２ｃに接触するようにしてもよい。
【００４５】
図９の実施形態において、コイルばね２５は、第２板ばね３２の第２接点３２ｃの近傍に設けられた水平部３２ｆを下方から支持している。図９（ａ）に示す接点３１ｃ、３２ｃが離間した状態から、操作子２３が第１板ばね３１の被押圧部３１ｆを下方Ｄへ押圧することにより、まず、図９（ｂ）に示すように、第１接点３１ｃのＲ方向側の傾斜面３１ｅが第２接点３２ｃのＲ方向側の頂点３２ｅに接触する。その後、傾斜面３１ｅと頂点３２ｅとが摺動しつつ、第１接点３１ｃまたは第２接点３２ｃが押圧方向Ｄに対して垂直な方向Ｌ、Ｒへ変位する。そして最終的に、図９（ｃ）に示すように、第１接点３１ｃのＬ方向側の傾斜面３１ｄと第２接点３２ｃのＬ方向側の頂点３２ｄとが接触する。操作子２３は、本発明の「押圧手段」の一例である。
【００４６】
また、上記実施形態では、第２板ばね２２、３２の凸状の第２接点２２ｃ、３２ｃの上方に、第１板ばね２１、３１の第１接点２１ｃ、３１ｃを、頂部２１ｇ、３１ｇを上方Ｕへ向けて配置した例を示したが、本発明はこれに限るものではない。これ以外に、たとえば、図１０および図１１に示すように、第２板ばね４２、５２の凸状の第２接点４２ｃ、５２ｃを下方へ突出するように配置し、第１板ばね４１、５１の第１接点４１ｃ、５１ｃを、頂部４１ｇ、５１ｇを下方Ｄへ向けて、第２接点４２ｃ、５２ｃの下方に配置してもよい。
【００４７】
図１０の実施形態において、コイルばね２５は、第１板ばね４１の第１接点４１ｃの近傍に設けられた水平部４１ｆを下方から支持している。図１０（ａ）に示す接点４１ｃ、４２ｃが離間した状態から、操作子２３が第２板ばね４２の被押圧部４２ｆを下方Ｄへ押圧することにより、まず、図１０（ｂ）に示すように、第２接点４２ｃのＬ方向側の頂点４２ｄが第１接点４１ｃのＬ方向側の傾斜面４１ｄに接触する。その後、頂点４２ｄと傾斜面４１ｄとが摺動しつつ、第１接点４１ｃまたは第２接点４２ｃが押圧方向Ｄに対して垂直な方向Ｌ、Ｒへ変位する。そして最終的に、図１０（ｃ）に示すように、第２接点４２ｃのＲ方向側の頂点４２ｅと第１接点４１ｃのＲ方向側の傾斜面４１ｅとが接触する。
【００４８】
図１１の実施形態において、図１１（ａ）に示す接点５１ｃ、５２ｃが離間した状態から、操作子２３がプッシュロック機構１０によりロックを解除されて、上昇位置へ復帰して行くと、第１板ばね５１の被押圧部５１ｆが操作子２３によって下方Ｄへ押圧されなくなる。このため、被押圧部５１ｆがコイルばね２５によって上方Ｕへ押圧されることにより、まず、図１１（ｂ）に示すように、第１接点５１ｃのＲ方向側の傾斜面５１ｅが第２接点５２ｃのＲ方向側の頂点５２ｅに接触する。その後、傾斜面５１ｅと頂点５２ｅとが摺動しつつ、第１接点５１ｃまたは第２接点５２ｃが押圧方向Ｄに対して垂直な方向Ｌ、Ｒへ変位する。そして最終的に、図１１（ｃ）に示すように、第１接点５１ｃのＬ方向側の傾斜面５１ｄと第２接点５２ｃのＬ方向側の頂点５２ｄとが接触する。
【００４９】
図６の実施形態では、第２板ばね２２の第２接点２２ｃが押圧方向に対して垂直な方向へ変位する例を示したが、本発明はこれに限るものではない。摺動中に押圧方向に対して垂直な方向へ変位するのは、第１接点であってもよいし、第２接点であってもよいし、両方の接点であってもよい。また、押圧手段で押圧される板ばねに設けられた接点であってもよいし、押圧されない板ばねに設けられた接点であってもよい。
【００５０】
また、図８の実施形態では、凸状の第２接点２２ｃが設けられた第２板ばね２２に垂直延長部２２ｇを設けた例を示したが、本発明はこれに限るものではなく、垂直延長部は、Ｖ字状の第１接点を有する第１板ばねに設けるようにしてもよい。垂直延長部は、押圧手段による押圧方向に対して垂直な方向へ変位する板ばねに設けるようにすればよい。
【００５１】
さらに、上記実施形態では、パワーウインドウ用のスイッチユニット１００に設けられたウインドウロックスイッチに、本発明を適用した例を挙げたが、本発明は、他の用途に用いられるスイッチにも適用することができる。
【符号の説明】
【００５２】
１１    スイッチ
２１、３１、４１、５１    第１板ばね
２１ｃ、３１ｃ、４１ｃ、５１ｃ    第１接点
２１ｄ、２１ｅ、３１ｄ、３１ｅ、４１ｄ、４１ｅ、５１ｄ、５１ｅ    傾斜面
２１ｇ、３１ｇ、４１ｇ、５１ｇ  頂部
２２、３２、４２、５２    第２板ばね
２２ｃ、３２ｃ、４２ｃ、５２ｃ    第２接点
２２ｄ、２２ｅ、３２ｄ、３２ｅ、４２ｄ、４２ｅ、５２ｄ、５２ｅ    頂点
２２ｇ    垂直延長部
２３    操作子
２５    コイルばね
Ｊ１    第１接点の中心軸
Ｊ２    第２接点の中心軸
Ｌ、Ｒ    第１接点または第２接点の変位方向
Ｕ、Ｄ    押圧手段の押圧方向
【図１】
0005679924.tif 000002
【図２】
0005679924.tif 000003
【図３】
0005679924.tif 000004
【図４】
0005679924.tif 000005
【図５】
0005679924.tif 000006
【図６】
0005679924.tif 000007
【図７】
0005679924.tif 000008
【図８】
0005679924.tif 000009
【図９】
0005679924.tif 000010
【図１０】
0005679924.tif 000011
【図１１】
0005679924.tif 000012